(57)【要約】【課題】湿度の高い日本の気候でありながら、機密性を高めた住宅で調湿機能を有しない新建材を多用した結果。健康を脅かすなどの問題か提起される様になりその解消策としての土壁である。【解決手段】壁の構造体と、構造体に固定された壁の横方向に複数個配置された芯材と芯材に重ねて配置したネットで構成されたネット竹小舞とネットの編目に壁材を食い込ませて塗ることを特徴とする土壁であり、調湿機能や断熱効果を高めさせた土を用いて住宅の壁構造を構築させる。【選択図】図１
2011032650.tif 000002
【特許請求の範囲】
【請求項１】
壁の構造体と、前記構造体に固定された壁の横方向に複数個配置された芯材と前記芯材に重ねて配置したネットで構成されたネット竹小舞と前記ネットの編目に壁材を食い込ませて塗ることを特徴とする土壁。
【請求項２】
芯材とネットを織り込んで構成した請求項１に記載の土壁。
【請求項３】
ネットの端部を芯材に固定した請求１〜２のいずれか１項に記載の土壁。
【請求項４】
ネット竹小舞は、網目の異なる複数のネットで裏と表に芯材を挟んで取り付けられた請求項１又は請求項３項のいずれか１項に記載の土壁。
【請求項５】
壁材は、珪藻土を混入させた請求項１〜４のいずれか１項に記載の土壁。
【発明の詳細な説明】
【技術分野】
【０００１】
本発明は住宅の土壁構造に関するものである。
【背景技術】
【０００２】
昔の家は木と土と紙だけで作られており、通気性の高い住まいであったが、最近では木製の建具からアルミサッシに変化し、壁の構造体も土から新建材に変わり、機密性の高い住宅が作られる様になった。しかし湿度の高い日本の気候では、結露やカビ発生の原因にもなり、新建材や家具からと思われる有機ガスの発生で室内が汚染され、アトピーや喘息、花粉症など、化学物質過敏症で困っている人達が増加している現状がある。                  
【０００３】
日本の気候から考えると、昔の様な通気性のある壁材で躯体を構成させるのが最も望ましいが、壁材を塗るには竹を縱横に網の様に編んだ小舞下地を必要とする。しかしその職人の殆どか高齢となり、技術継承に必要な現場の数も激減しており継承が難しい状況になっており、又大量の泥土を必要とする荒壁を捏ねる現場のスペースや保管場所の確保も難しく、乾燥期間など工期の問題もあり実現が困難な状況となっている現状がある。
【０００４】
現在の住宅では、内装壁の躯体に石膏ボードを用いていますが、産業廃棄物としての処理方法が難しく、燃えず埋めれば有機ガスが発生するなど、環境を汚染させる厄介な素材として問題視されている。
【０００５】
特許文献１では、竹小舞下地に変わる下地としてベニヤ合板に多数の穴を開け両面に壁材を塗り解決を図るものである。
【０００６】
この方法を用いれば、竹小舞と同等の下地が専門の職人も必要とせず、従来の石膏ボード張りと変わらず、施工が容易であるとしている。
【０００７】
特許文献２の場合は、竹を縱横に一定の間隔を空け藁紐やビニール紐などで縛り小舞下地を形成させていた従来の方法から、ぬき板に取り付ける部材を用いて挟み固定させ、一定の間隔で横材保持用の部材を取り付け竹を差し込むなどの方法で、縄で編んだ竹小舞下地と同等の下地を構成させるものである。
【０００８】
この工法を用いれば専門の職人も必要とせず一本一本縄などで編んだ竹小舞より強固になり均一した下地が得られるとしている。
【先行技術文献】
【特許文献】
【０００９】
【特許文献１】特開２００４ー６８４３１
【特許文献２】特開平５ー１９５６０９
【発明の概要】
【発明が解決しようとする課題】
【００１０】
特許文献１では、ベニヤ合板に無数の穴を開け竹小舞下地と同等の条件にさせる方法であるが、この場合、湿式工法である塗り壁の水分が合板を膨張させたり、合板ベニヤのアクが塗り壁に染みだし、色むらの原因になり、更に乾燥時に合板が縮むなどで塗り壁を剥離させたりひび割れを起こす恐れが考えられる。
【００１１】
特許文献２の場合では、ぬき板に差し込む部材で竹を縱に固定させ一定の間隔に横材保持部材を取り付け、その部分に竹を通したり挟み込んで竹小舞を構築させる方法で従来の竹小舞下地と同等であるが、この場合、竹と竹を十文字に編んだ編み目の空間は３０ｍｍ〜４０ｍｍの空間になっておりそのためには、片面に粒子の粗い荒壁土を塗り乾燥させた後、裏面に再び荒壁土を塗って裏と表を一体化させる方法である。そのため壁材の厚みは仕上げ塗りも含めると６０ｍｍ〜８０ｍｍの厚みになり、内部スペースを考えると、柱と柱の間に位置させなければならず、真壁方式の和風建築や、田舎建て仕様の住宅に限定され、洋式住宅が多い現在の工法では柱が壁の中に入り込み、連続させた大壁作りになっており時代に即した工法とは言えない。
【００１２】
特許文献１と２では、泥土を塗って構築させる従来の荒壁方式となっており、先に述べた通り泥土を捏ねるスペースの確保や保管期間も長く、荒壁の乾燥に半月から一カ月を要するなど、現在の住宅事情から見ても問題があまりにも多い。その為、竹小舞下地を改良し、薄塗り可能な下地作りを行い、土壁の厚みを二分の一以下に押さえる工法を開発させる。
【課題を解決するための手段】
【００１３】
本発明の土壁は、壁の構造体と、前記構造体に固定された壁の横方向に複数個配置された芯材とこの芯材に重ねて配置したネットで構成されたネット竹小舞と前記ネットの編目に壁材を食い込ませて塗ることを特徴とするものである。
【発明の効果】
【００１４】
複数個の心材に重ねてネットを配置し壁材を塗る構成にしたので、ネットに壁材が食い込んで接着の強度が増し、剥離が発生しにくい。またガラス繊維などで作られたネット状のシートを用いて、水平方向に竹を挟む様に編んで作られたネット小舞は、縦竹を必要とせず、交差する部分の厚さが薄くなり、従来の竹小舞下地の二分の一の厚みで済み軽量化が図られる。
【００１５】
取り付け方法も他の建材と同様にビス留めで行えるので、工事が簡単である。また、石膏ボード貼りなどの取り付け下地の骨組もこれまでと同様で、変更の必要がない。
【００１６】
さらに、縄で竹を編む必要がなくなり、課題であった専門の竹小舞下地職人の必要がなく大工、左官や作業工などでも取り付けが可能になり、専門職の高齢化や継承問題も解消される。
【００１７】
土の塗り厚が半分以下となり乾燥期間が短くなり、工期の短縮が図れ、大量の泥土を現場に持ち込む問題も解消される。
【図面の簡単な説明】
【００１８】
【図１】（Ａ）は本発明によるネット竹小舞の形状を示す正面図、（Ｂ）はＡ−Ａ断面図
【図２】本発明によるネット竹小舞の取り付け下地の骨組図
【図３】本発明によるネット竹小舞の取り付け図
【図４】本発明による土壁や通気呼吸状態を示すＢ−Ｂ断面図
【図５】本発明のネット竹小舞、巻き込み状態の図
【図６】本発明のネット竹小舞の天端処理図を示すＡ−Ａ断面図
【図７】本発明のネット竹小舞や壁材の設置状況を示すＣ−Ｃ断面図
【図８】（Ａ）は本発明のネット竹小舞の他の実施例を示す図、（Ｂ）はＤ−Ｄ断面図
【図９】本発明のネット竹小舞の他の実施例を示す図
【図１０】本発明のネット竹小舞の他の実施例を示すＥ−Ｅ断面図
【発明を実施するための形態】
【００１９】
縦竹と横竹をクロスさせて縄で編む竹小舞下地から、縦竹を省く方法として麻やガラス繊維などで作られたネットを用いて、竹を横方向に一定の間隔を開け連続して差し込む方法で作るか、複数のネットを用いて裏と表の中間に竹を挟み固定させる方法で、スダレの様な形のネット竹小舞下地を構築させる。
【００２０】
図１（Ａ）に本発明の土壁の実施例を示す。ネット竹木舞１は、ネット１１に芯材である竹１２を水平に設置し、縦に複数個設けて構成される。ネット１１はガラス入りの樹脂繊維で構成され、１平方メートルあたり１００〜５００グラム好ましくは１５０〜２００グラム、編目の寸法が一辺１０〜２０ｍｍの矩形あるいは円形のものが使用される。竹１２は縦に４〜６割りに裂いた細長い形状、幅１５ｍｍ〜５０ｍｍ好ましくは２０〜３５ｍｍのものが使用される。ネット１１の一部に切れ目を入れて、その切れ目に竹１２を縫うようにして留める。図１（Ｂ）は図１（Ａ）のＡ−Ａ断面を示す断面図であり、複数の竹１２をネット１１に取り付けた状態を示す。複数の竹１２の取り付けの間隔Ｈ（図１（Ａ）に示す）は１６〜６０ｍｍで行い、竹１２に設けられたビス穴１３にビス（図示せず）を用いて、ネット１１と竹１２とを固定させる。
【００２１】
ネット１１の編目の形状は、矩形ばかりでなく他の多角形でも可能である。また、２枚のネット１１で竹１２を挟み込み、この２枚のネットの網目のピッチサイズを、室内側の塗り面を荒く室外側を細かくすることもできる。
【００２２】
図２は本発明のネット竹木舞を取り付ける壁の骨組み２を示したもので、建物の天井６と床５との間に柱４があり、柱４の間に間柱２１を設けている。２２と２３は壁材の収縮による隙間の発生を防止するための桟木を示している。
【００２３】
図３は、図２で示した骨組み２に竹１２を取り付けた状態を示したもので、間柱２１を横断して竹１２が水平に取り付けられている。なお図がわかりにくくなるのでネットの記載は省略しており、ネットの取り付けは図４に記載している。
図４は図３のＢ−Ｂ断面を拡大して示すもので、竹１２をビス１４で桟木２２に取り付け、竹１２と竹１２に取り付けられたネット１１を覆うように壁材である壁材７を塗布する。壁材７はネット１１の網目の間に浸透し食い込んで、接続を強固なものにする。
壁材の重量は、ネット１１を介して竹１２で、さらに竹１２が間柱２１に固定され、支えられている。
【００２４】
なお壁材７は通気性があるので、図に示すＸからＹへと空気の自然通気が可能である。
図５は、ネット竹木舞１を建物に設置する前の状態を示すもので、ネット１１と竹１２を一体に固定した状態で、スダレのように巻いておくことができる。このため事前に竹木舞の製作が行え、現場での作業時間の短縮がはかられるばかりでなく、保管や搬入が容易に行える。
図６はネット１１の端面の状態を示したもので、ネット１１の天端１１ａを折り曲げて竹１２に巻き付け、留め具１５で固定することにより、ネット１１と竹１２をより強固に固定させている。
図７は図３のＣ−Ｃ断面を拡大して示した図であり、間柱２１に固定された竹１２とネット１１をビス１４で取り付け、その竹木舞１を覆うように壁材７を塗布している。
図８（Ａ）は、竹１１とネット１２の固定の状態の他の実施例を示す図であり、図８（Ｂ）は図８（Ａ）のＤ−Ｄ断面図である。図に示すように、竹１２をネット１１を挟み、留め具１５で固定している。このように竹１１をネットに挟まず、一定の間隔で取り付け、表面にネット１１を取り付けることもできる。
【００２５】
図９は、本発明の他の実施例を示す図であり、２枚のネット１１ｂと１１ｃを竹１２を挟むように設けて、ネット竹小舞１ａを構成する。塗りつけ面（室内側）のネットは網目が粗く、裏面(室外側）のネットは網目を細かくする。図１０は図９のＥ−Ｅ断面の拡大図である。このようにすると内側はネットから壁材が押し出され、外側で壁材がネットに押し付けられ接着性が良くなる。
【００２６】
本発明のネット竹小舞いの形状は、石膏ボードなどと同じ大きさの縦１，８００ｍｍ×横９００ｍｍが標準であるが、大壁用として自由な大きさに作ることが出来る。
【００２７】
従来の土壁では土の厚みを持って断熱効果と調湿効果を得ていたが、薄塗りでも同等の効果を発揮させる土の開発として、乾燥させた粘土を３ｍｍ〜１５ｍｍ以下にに粉砕し、断熱機能や調湿能力が普通の土よりも数段高い天然素材の珪藻土などを２０パーセント〜５０パーセント混入させて高機能土を作り本発明の壁材に用いる。
【００２８】
さらに、開発させた土は粘性の高い土になっており、粘性の高い土の場合これまでは、砂と藁を配合させて土の粘土調整を行い下塗などに用いていたが、本発明では、砂を用いた粘土調整は行わず５ｍｍ〜２０ｍｍに細かく切った藁すさを通常の３倍〜５倍以上混入させる方法で調整、それによって更に保温効果の高い壁材となる。
【００２９】
開発させた土は袋入りの形態になり必要な分だけ持ち込むため、現場も汚さず保管のスペースも不必要になり狭い敷地や都会など全ての住宅で本格的な土壁の住まいを実現させる。
【００３０】
従来の竹小舞下地は竹を縦横にクロスさせて編まれているが、編目の直径が３０ｍｍ〜４０ｍｍの大きさに空いており、分子の細かい土では穴から抜け落ちる為、粗い土に足の長い藁すさを入れ分厚く塗る必要がある。竹小舞ネットの場合、竹と竹を繋なぐ間隔がネットで繋がっており、塗り付けられた土が竹の隙間から押し出されても落下せず、ネットに接着させるため、分子の細かい土を用いての薄塗りが可能になる。その為、内部スペースに殆ど影響を与えずに大壁構造の躯体を構築させる。
【００３１】
石膏ボードなどの下地は通気性を有しておらず、土壁の下地としては不向きである。ネット竹小舞下地の場合、裏表から自由に呼吸機能が発揮され、土特有の通気性を生かした土壁が構築出来る。
【００３２】
従来の竹小舞下地の場合、山などから採取した粒子の粗い土をそのまま用いて足の長い藁と水で練り込んだ土を壁の片面に塗り付ける。塗り付けた日から２０日〜３０日以上自然乾燥させて固まった頃に、更に裏面に同様の土を塗り付け乾燥させてようやく壁下地が出来る。本発明のネット竹小舞は表面施工だけの薄塗り工法で工期を大幅に短縮させる。
実施例では、心材として竹１２を用いたが、木材やプラスチックや金属を用いても良く、ネット１１はガラス入りの樹脂繊維意外に、天然素材の麻や藁を用いてもよく、化学繊維や、金属を用いても良く、また炭素繊維を混入させても良い。
またネット１１の網目の繊維の方向が間柱２１に対して斜めに設けると、壁の構造を強化できる。
【符号の説明】
【００３３】
１                竹小舞ネット
７                壁材
１１              ネット
１１ａ            ネットの折り曲げ
１２              芯材（竹）
１５              留め具
【図１】
2011032650.tif 000003
【図２】
2011032650.tif 000004
【図３】
2011032650.tif 000005
【図４】
2011032650.tif 000006
【図５】
2011032650.tif 000007
【図６】
2011032650.tif 000008
【図７】
2011032650.tif 000009
【図８】
2011032650.tif 000010
【図９】
2011032650.tif 000011
【図１０】
2011032650.tif 000012